(57)【要約】【課題】店舗間で商品の在庫を効率よく取引できるようにする。【解決手段】店舗間で商品の在庫を取引するための在庫取引システムであって、各々の店舗の、購入実績に関する情報を保持する第１の記憶部と、商品の販売を希望する店舗から、販売を希望する対象商品と販売希望数量の登録を受け付ける商品登録受付部と、各々の店舗の購入実績に基づいて、対象商品の販売先候補となる１つ以上の店舗を選定する販売先候補決定部と、販売先候補の店舗に対し、対象商品と販売希望数量の情報を提示する販売情報通知部と、所定の期間に、販売先候補の店舗から、対象商品の購入希望の有無と購入を希望する数量の登録を受け付ける購入希望登録受付部と、所定の期間の終了後、対象商品の購入希望を登録した店舗の中から、購入を希望する数量に基づいて販売先を決定する販売先決定部と、を備える。【選択図】図２
2017199081.tif 000002
【特許請求の範囲】
【請求項１】
店舗間で商品の在庫を取引するための在庫取引システムであって、
各々の店舗の、購入実績に関する情報を保持する第１の記憶部と、
商品の販売を希望する店舗から、販売を希望する対象商品と販売希望数量の登録を受け付ける商品登録受付部と、
各々の店舗の前記購入実績に基づいて、前記対象商品の販売先候補となる１つ以上の店舗を選定する販売先候補決定部と、
前記販売先候補の店舗に対し、前記対象商品と販売希望数量の情報を提示する販売情報通知部と、
所定の期間に、前記販売先候補の店舗から、前記対象商品の購入希望の有無と購入を希望する数量の登録を受け付ける購入希望登録受付部と、
前記所定の期間の終了後、前記対象商品の購入希望を登録した店舗の中から、前記購入を希望する数量に基づいて販売先を決定する販売先決定部と、を備えた在庫取引システム。
【請求項２】
前記販売先決定部は、
前記対象商品の購入希望を登録した店舗の中から、前記購入を希望する数量が、前記販売希望数量と一致する店舗を販売先に決定する、請求項１に記載の在庫取引システム。
【請求項３】
前記販売先候補決定部は、
選定された１つ以上の販売先候補に対し、各々の購入実績に基づいて優先順位を付与し、
前記販売先決定部は、
前記購入を希望する数量が前記販売希望数量と一致する店舗が無い場合には、購入希望を登録した店舗の中から最も優先順位の高い店舗を販売先に決定する、請求項２に記載の在庫取引システム。
【請求項４】
前記対象商品の購入希望を登録した店舗が無い場合、または販売先の決定後に前記対象商品が残っている場合に、前記販売先候補以外の店舗を含む複数の店舗に対し、前記対象商品と販売希望数量の情報を提示し、いずれかの店舗から購入希望を受け付けたら即時に販売を決定する二次販売実行部を備えた、請求項１から３のいずれか１項に記載の在庫取引システム。
【請求項５】
前記二次販売実行部は、
各々の店舗の前記購入実績に基づいて、店舗毎に前記対象商品の情報を提示する順序を変更する、請求項４に記載の在庫取引システム。
【請求項６】
コンピュータを、
商品の販売を希望する店舗から、販売を希望する対象商品と販売希望数量の登録を受け付ける商品登録受付部と、
各々の店舗の購入実績に基づいて、前記対象商品の販売先候補となる１つ以上の店舗を選定する販売先候補決定部と、
前記販売先候補の店舗に対し、前記対象商品と販売希望数量の情報を提示する販売情報通知部と、
所定の期間に、前記販売先候補の店舗から、前記対象商品の購入希望の有無と購入を希望する数量の登録を受け付ける購入希望登録受付部と、
前記所定の期間の終了後、前記対象商品の購入希望を登録した店舗の中から、前記購入を希望する数量に基づいて販売先を決定する販売先決定部と、して機能させるプログラム。
【発明の詳細な説明】
【技術分野】
【０００１】
本発明は、医薬品などの商品の在庫取引システムおよびプログラムに関する。
【背景技術】
【０００２】
調剤薬局等においては、不動品となった医薬品在庫の売却が重要な課題になっている。例えば特許文献１、２には、処方箋薬局間で余剰の医薬品を売買するためのシステムが開示されている。
【先行技術文献】
【特許文献】
【０００３】
【特許文献１】特開２００７−２６０３５号公報
【特許文献２】特開２００４−３１０３６４号公報
【発明の概要】
【発明が解決しようとする課題】
【０００４】
特許文献１、２に記載されたシステムは、基本的に、販売を希望する薬局が販売したい医薬品の情報を登録すると、不特定の薬局にその情報が提示され、購入を希望する薬局があれば売買が成立するという仕組みのものである。また、販売数量についても、販売側の希望が考慮されることはなかった。このような仕組みでは、販売側の薬局は余剰の在庫を効率よく売却することはできなかった。具体的には、従来の仕組みでの成約率は２０％程度であった。
【０００５】
そこで本発明の目的は、店舗間で商品の在庫を効率よく取引できるようにすることである。
【課題を解決するための手段】
【０００６】
本発明に係る在庫取引システムは、店舗間で商品の在庫を取引するための在庫取引システムであって、
各々の店舗の、購入実績に関する情報を保持する第１の記憶部と、
商品の販売を希望する店舗から、販売を希望する対象商品と販売希望数量の登録を受け付ける商品登録受付部と、
各々の店舗の前記購入実績に基づいて、前記対象商品の販売先候補となる１つ以上の店舗を選定する販売先候補決定部と、
前記販売先候補の店舗に対し、前記対象商品と販売希望数量の情報を提示する販売情報通知部と、
所定の期間に、前記販売先候補の店舗から、前記対象商品の購入希望の有無と購入を希望する数量の登録を受け付ける購入希望登録受付部と、
前記所定の期間の終了後、前記対象商品の購入希望を登録した店舗の中から、前記購入を希望する数量に基づいて販売先を決定する販売先決定部と、を備えたものである。
【０００７】
本発明に係るプログラムは、コンピュータを、
商品の販売を希望する店舗から、販売を希望する対象商品と販売希望数量の登録を受け付ける商品登録受付部と、
各々の店舗の購入実績に基づいて、前記対象商品の販売先候補となる１つ以上の店舗を選定する販売先候補決定部と、
前記販売先候補の店舗に対し、前記対象商品と販売希望数量の情報を提示する販売情報通知部と、
所定の期間に、前記販売先候補の店舗から、前記対象商品の購入希望の有無と購入を希望する数量の登録を受け付ける購入希望登録受付部と、
前記所定の期間の終了後、前記対象商品の購入希望を登録した店舗の中から、前記購入を希望する数量に基づいて販売先を決定する販売先決定部と、して機能させるものである。
【発明の効果】
【０００８】
本発明によれば、店舗間で商品の在庫を効率よく取引することができる。
【図面の簡単な説明】
【０００９】
【図１】本発明の実施の形態による、在庫取引システム１の構成を示すブロック図。
【図２】本発明の実施の形態による、在庫取引サーバ１０の構成を示すブロック図。
【図３】本発明の実施の形態による、在庫取引システム１の不動品登録処理のフローチャート。
【図４】本発明の実施の形態による、不動品登録画面の例を示す図。
【図５】本発明の実施の形態による、在庫取引システム１の販売先候補決定処理のフローチャート。
【図６】本発明の実施の形態による、在庫取引システム１の購入希望登録処理のフローチャート。
【図７】本発明の実施の形態による、購入希望登録画面の例を示す図。
【図８】本発明の実施の形態による、在庫取引システム１の一次販売先決定処理のフローチャート。
【図９】本発明の実施の形態による、在庫取引システム１の二次販売実行処理のフローチャート。
【図１０】本発明の実施の形態による、在庫取引システム１の医薬品移動の流れを説明する図。
【発明を実施するための形態】
【００１０】
次に、本発明を実施するための形態について、図面を参照して詳細に説明する。
図１は、本発明の実施の形態による在庫取引システム１の構成を示すブロック図である。図１に示すように、在庫取引システム１は、在庫取引サーバ１０、利用者端末２０、卸データ管理サーバ３０を備えている。在庫取引サーバ１０は、利用者端末２０および卸データ管理サーバ３０と通信ネットワークＮを介して接続されている。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００１１】
本実施形態では、在庫取引システム１を利用して、調剤薬局間で医薬品の不動品を取引する場合を例に説明する。不動品とは、調剤薬局が医薬品の卸会社やメーカー等から仕入れたものの、予定どおりに売れなかった医薬品の在庫である。在庫取引サーバ１０は調剤薬局間の在庫取引をサポートするサービスを提供する企業内などに設置される。利用者端末２０は、サービスを利用する各々の調剤薬局内などに設置される。ただし、この例に限らず、本発明は、様々な店舗、企業、商店の間での商品の取引に適用できる。
【００１２】
在庫取引サーバ１０および卸データ管理サーバ３０は、汎用的なコンピュータである。在庫取引サーバ１０および卸データ管理サーバ３０は、それぞれ１台のコンピュータである必要はなく、通信ネットワークＮ上に分散する複数のコンピュータから構成されてもよい。また、在庫取引サーバ１０と卸データ管理サーバ３０は１つのコンピュータで構成されていてもよい。
【００１３】
利用者端末２０は、パーソナルコンピュータ（ＰＣ）、ノートＰＣ、タブレット端末、スマートフォン、携帯電話機、携帯情報端末（ＰＤＡ）など、通信ネットワークＮを介して在庫取引サーバ１０とデータの授受が可能なあらゆる端末装置を利用することができる。利用者端末２０は、プロセッサ、キーボードやマウス、各種操作ボタンやタッチパネルなどの入力装置、液晶ディスプレイなどの表示装置、通信ネットワークＮに接続するための通信インタフェース、ディスクドライブまたは半導体メモリ（ＲＯＭ、ＲＡＭなど）などの記憶資源を備えている。
【００１４】
図２は、在庫取引サーバ１０の構成を示すブロック図である。
図２に示すように、在庫取引サーバ１０は、制御装置１１と、外部記憶装置１２を備えている。制御装置１１は、ハードウェアとして、ＣＰＵ、ＲＯＭやＲＡＭ等のメモリ、入力インタフェース、出力インタフェース、通信インタフェース及びこれらを結ぶバス等を備えている。制御装置１１は、ＣＰＵがＲＯＭ等に格納されたプログラムを実行することにより各種機能を実現する。制御装置１１によって実現される機能モジュールには、不動品登録受付部（商品登録受付部）１１１、販売先候補決定部１１２、販売情報通知部１１３、購入希望登録受付部１１４、販売先決定部１１５、二次販売実行部１１６、購入実績集計部１１７、帳票作成部１１８、医薬品移動確認部１１９、スケジュール作成部１２０、価格設定部１２１、決済処理部１２２が含まれる。
【００１５】
外部記憶装置１２は、ハードディスクドライブ等であり、購入実績記憶部１３１、不動品登録情報記憶部１３２、販売先候補情報記憶部１３３、購入希望情報記憶部１３４、販売先情報記憶部１３５、二次販売対象医薬品情報記憶部１３６を実装している。
【００１６】
購入実績記憶部１３１には、各々の調剤薬局の過去の購入実績情報が登録されている。具体的には、例えば、調剤薬局名（または識別コード）、過去１年の取扱高合計、月毎の取扱高平均、取扱回数の密度などの情報が登録されている。購入実績情報の詳しい内容については後述する。
【００１７】
不動品登録情報記憶部１３２には、各調剤薬局が登録した、転売を希望する医薬品の不動在庫の種類と、転売を希望する数量の情報が登録されている。具体的には、例えば、不動在庫を登録した調剤薬局名（または識別コード）、登録年月日、医薬品（品名または識別コード）、数量等の情報が登録されている。
【００１８】
販売先候補情報記憶部１３３には、不動品登録についての販売先候補として選定された調剤薬局の情報が登録されている。販売先候補には、各々の不動品登録に対する複数の販売先候補とそれぞれの候補の優先順位の情報が含まれる。具体的には、例えば、医薬品（品名または識別コード）、数量、複数の販売先候補（調剤薬局名または識別コード）と優先順位等の情報が登録されている。なお、最も優先順位の高い調剤薬局（第１候補）には、第１候補であることを示すフラグを立てるようにしてもよい。
【００１９】
購入希望情報記憶部１３４には、各調剤薬局が登録した、購入を希望する医薬品（品名または識別コード）と、転売を希望する数量の情報が登録されている。具体的には、例えば、購入希望を登録した調剤薬局名（または識別コード）、登録年月日、医薬品（品名または識別コード）、数量等の情報が登録されている。
【００２０】
販売先情報記憶部１３５には、登録された不動品の一次販売先の情報が登録されている。具体的には、販売先の調剤薬局名（または識別コード）、医薬品（品名または識別コード）、販売する数量、販売元（不動品登録元）の調剤薬局名（または識別コード）等の情報が登録されている。
【００２１】
二次販売対象医薬品情報記憶部１３６には、一次販売先が決定しなかった不動品（医薬品）の情報が登録されている。具体的には、医薬品（品名または識別コード）、販売対象となる数量、販売元（不動品登録元）の調剤薬局名（または識別コード）等の情報が登録されている。
【００２２】
次に、在庫取引システム１の動作について説明する。
（購入実績集計処理）
購入実績集計処理は、在庫取引システム１を利用して不動在庫の取引に参加する各々の調剤薬局について、過去の取引実績データに基づく購入実績を集計する処理である。過去の取引実績データとは、所定期間（例えば直近１年間）に、各調剤薬局が医薬品卸会社から購入した実績のデータや、患者に提供（投薬）した実績のデータ、保険者に対して保険請求を行った実績のデータの他、在庫取引システム１を介した所定回数（例えば直近４回）の取引での購入額合計や取引参加率のデータなどである。これらの取引実績データに基づいて、購入実績をポイント化し、各調剤薬局の購入実績情報とする。ポイントが高いほど、購入してもらえる可能性が高いことを示している。購入実績集計処理は、定期的に在庫取引サーバ１０の購入実績集計部１１７において実行される。集計された購入実績情報は購入実績記憶部１３１に登録される。
【００２３】
購入実績情報には、取扱高合計ポイント、月毎の取扱高平均ポイント、取扱回数の密度（購入頻度）ポイント、在庫取引システム１での購入額合計ポイント、在庫取引システム１での取引参加率ポイントなどが含まれる。取扱高合計ポイントは、所定期間における取扱高の総計をポイント化したものである。月毎の取扱高平均ポイントは、取扱高の月平均をポイント化したものである。取扱回数の密度ポイントは、調剤薬局における購入の頻度をポイント化したものである。すなわち、購入額の総計が同じであっても、例えば毎月購入している薬局と、半年に一度まとめて購入している薬局では、前者、すなわち購入頻度が高い薬局のポイントを高くする。これは、一般に、コンスタントに購入している薬局の方が、購入を打診した際に購入してもらえる可能性が高いからである。
【００２４】
在庫取引システム１での購入額合計ポイントは、在庫取引システム１を介した所定回数の取引での購入額総計をポイント化したものである。在庫取引システム１での取引参加率ポイントは、在庫取引システム１を介した所定回数の取引における参加回数をポイント化したものである。なお、購入実績情報は上記のものに限定されず、過去の取引実績を用いて集計し得るあらゆる情報を含めることができる。
【００２５】
なお、主な取引実績データには例えば以下のものが含まれる。
（１）納品データ
納品データは、医薬品の卸会社が調剤薬局に納品伝票を発行する際に作成するデータであり、１日に１〜２回作成され調剤薬局に提供される。納品データには、商品（医薬品）の移動が伴う取引の情報のみが含まれ、値引きデータなど商品の移動が伴わない取引の情報は含まれない。在庫取引システム１では、卸データ管理サーバ３０において卸会社から調剤薬局宛てに提供される納品データと同じ内容のデータを直接取得、管理し、各調剤薬局の購入実績情報として利用する。
【００２６】
（２）請求データ
請求データは、医薬品の卸会社が請求書を発行する際に作成するデータである。請求データには、商品の移動が伴う取引の情報に加えて、値引きデータなど商品の移動が伴わない取引の情報も含まれる。請求データは、基本的に、月初に１回作成され、調剤薬局には提供されない。在庫取引システム１では、卸データ管理サーバ３０において卸会社から直接請求データを取得、管理し、各調剤薬局の購入実績情報として利用する。
【００２７】
（３）発注データ
発注データは、調剤薬局で作成、管理する卸会社への発注実績のデータである。発注データは、調剤薬局内のシステム（レセコン等）で作成している卸会社宛発注データや、卸会社へオンラインで医薬品を発注するためのシステムで作成される発注データなどである。発注データは、調剤薬局で編集することも可能なため、納品データと比較するとデータの信頼度は低くなるが、各調剤薬局の購入実績の参考情報として活用することができる。
【００２８】
（４）仕入データ
仕入データは、調剤薬局にて、卸会社からの納品書や納品データをもとに作成した仕入実績のデータである。仕入データは、各調剤薬局の購入実績の参考情報として活用することができる。
【００２９】
（５）払出データ
払出データは、調剤薬局から患者へ提供（投薬）した医薬品の実績や、他の薬局への小分け販売等の実績のデータである。払出データは、調剤薬局が実際に消化した商品の実績情報として活用することができる。
【００３０】
（６）レセプトデータ/レセ電算データ
レセプトデータ/レセ電算データは、調剤薬局が患者へ提供(投薬)した実績に基づいて、社会保険、国民健康保険、健康保険組合等の保険者に保険請求をするために作成するデータである。保険請求については現在９９．５％の薬局が電子請求を行っているため、ほとんどの薬局でレセプトデータ/レセ電算データを保持しており、このデータを取得することで、払出データと同様に活用することができる。
【００３１】
このほか、在庫取引システム１を介した取引での購入額や取引参加率の実績については、在庫取引システム１で保持するデータを活用することができる。
【００３２】
なお、上記の取引実績データに優先順位を付け、優先順位の高いデータが取得できる場合にはそれらのデータのみを利用するようにしてもよいし、ポイント化の際に、優先順位に応じた重み付けをするようにしてもよい。優先順位の付け方としては、例えば医薬品卸会社から直接提供される（１）、（２）のデータは、薬局から提供される（３）等のデータよりも信頼度が高いため、（１）、（２）のデータの優先順位を高くするようにしてもよい。なお、取引実績データは上記のものに限定されず、過去の取引実績を示すあらゆる情報を用いることができる。
【００３３】
（不動品登録処理）
不動品登録処理は、医薬品（商品）の不動在庫を抱える調剤薬局が、転売を希望する医薬品の種類と数量を登録する処理である。図３は、在庫取引システム１の不動品登録処理のフローチャートである。
【００３４】
まず、調剤薬局（例えば調剤薬局Ａ）において従業員が利用者端末２０を用いて、在庫取引システム１に接続する（ステップＳ１１）。具体的には、ウェブブラウザを介して専用のウェブサイトに接続し、あらかじめ付与されたユーザＩＤやパスワードを入力してログインする。
【００３５】
次に、従業員は、ウェブサイトに表示されるメニュー項目等から、不動品登録を選択し、図４に示すような不動品登録画面を表示させる（ステップＳ１２）。さらに、従業員は、不動品登録画面上で転売を希望する不動品の品名と数量（販売希望数量）の登録を行う（ステップＳ１３）。また、使用期限や包装状態などの情報も入力する。
【００３６】
画面上で必要事項を入力した後、登録ボタンを選択することにより、入力された不動品登録情報が、通信ネットワークＮを介して在庫取引サーバ１０に送信される（ステップＳ１４）。
【００３７】
在庫取引サーバ１０は、不動品登録受付部１１１において利用者端末２０から不動品登録情報を受信する。受信した情報は不動品登録情報記憶部１３２に登録される（ステップＳ１５）。なお、不動品の登録は、不動品登録画面を介して登録するだけでなく、ＣＳＶファイル等の形式で登録する不動品のリストを作成し、在庫取引サーバ１０に作成したファイルをアップロードするようにしてもよい。
【００３８】
（販売先候補決定処理）
販売先候補決定処理は、不動品登録情報記憶部１３２に登録された不動品の販売先候補を決定する処理である。販売先候補決定処理は、定期的に在庫取引サーバ１０の販売先候補決定部１１２において実行される。図５は、在庫取引システム１の販売先候補決定処理のフローチャートである。
【００３９】
在庫取引サーバ１０は、販売先候補決定部１１２において、不動品登録情報記憶部１３２から、販売が希望されている医薬品と数量の情報（例えば、医薬品Ｒ、５０個）を取得する（ステップＳ２１）。
【００４０】
次に、販売先候補決定部１１２は、購入実績記憶部１３１に記憶されている各薬局の購入実績情報を取得する（ステップＳ２２）。次に、販売先候補決定部１１２は、ステップＳ２２で取得した購入実績情報に基づいて、販売先候補となる調剤薬局を複数選定する（ステップＳ２３）。
【００４１】
具体的には、販売先候補決定部１１２は、購入実績記憶部１３１から取得した各薬局の医薬品の取扱実績のポイントや、在庫取引システム１での購入額、取引参加率のポイントに基づいて、登録されている不動品を購入してもらえる可能性が高い調剤薬局を選定する。例えば、各ポイントの合計が大きい薬局を選ぶようにしてもよいし、対象となる医薬品（医薬品Ｒ）の取扱額が大きい薬局を選ぶようにしてもよい。また、今回の販売を行う月と同じ月における過去の購入額の大きさを考慮するようにしてもよい。また、不動品として登録されている全量を同一の薬局に購入してもらうようにするため、登録されている数量の大きさに応じて販売先候補を選ぶようにしてもよい。その他にも、購入実績記憶部１３１に保持されている購入実績情報を用いて分析し得るあらゆる指標に基づいて、販売先候補を選ぶことができる。
【００４２】
さらに、販売先候補決定部１１２は、ステップＳ２３で選定した複数の調剤薬局に優先順位を付与する（ステップＳ２４）。優先順位を付ける基準としては、購入実績のポイントの高さを考慮する他、販売側の薬局と同一法人に属する薬局の優先順位を高くするようにしてもよい。また、医薬品の輸送費を抑えるため、販売側と購入側の薬局の距離が近い（同一県内、同一地域等）薬局の優先順位を高くするようにしてもよい。
【００４３】
また、実際に在庫取引システム１を介して過去に行った取引で発生した不備（期間経過後の転売のキャンセルや購入のキャンセル、販売先への医薬品の不着や遅配、医薬品の変質、包装の破損等）の情報を蓄積しておき、不備が発生した回数に応じて優先順位を下げるようにしてもよい。
【００４４】
なお、販売先候補や優先順位を決定する方法は以上のものに限定されず、対象となる医薬品を購入してもらえる可能性が高い調剤薬局を選定できるあらゆる方法を採用することができる。
【００４５】
販売先候補決定部１１２は、決定した販売先候補と優先順位の情報を販売先候補情報記憶部１３３に登録する（ステップＳ２５）。
【００４６】
次に、在庫取引サーバ１０は、販売情報通知部１１３において、選定した複数の販売先候補の薬局に対して、販売情報を通知する（ステップＳ２６）。販売情報には、医薬品の種類と数量（例えば、医薬品Ｒ、５０個）の情報が含まれる。また、通知された販売情報に対して、各薬局が購入希望登録を行える期間の情報もあわせて通知される。
【００４７】
なお、不動品登録情報記憶部１３２に複数の調剤薬局から同じ医薬品が不動品として登録されている場合には、それらの登録された不動品をまとめて１つの販売情報として通知するようにしてもよい。例えば、医薬品Ｒについて、調剤薬局Ａが５０個、調剤薬局Ｂが２０個を登録している場合には、医薬品Ｒ、７０個の販売情報として通知するようにしてもよい。また、販売先候補の選定においても、それらの不動品をまとめて売却できる可能性の高い販売先候補を選定するようにしてもよい。
【００４８】
（購入希望登録処理）
購入希望登録処理は、販売情報の通知を受けた各調剤薬局が指定期間内に購入希望の有無や購入を希望する数量を登録する処理である。図６は、在庫取引システム１の購入希望登録処理のフローチャートである。
【００４９】
まず、調剤薬局（例えば調剤薬局Ｃ）において従業員が利用者端末２０を用いて、在庫取引システム１に接続する（ステップＳ３１）。具体的には、ウェブブラウザを介して専用のウェブサイトに接続し、あらかじめ付与されたユーザＩＤやパスワードを入力してログインする。
【００５０】
次に、従業員は、ウェブサイトに表示されるメニュー項目等から、購入希望登録を選択し、図７に示すような購入希望登録画面を表示させる（ステップＳ３２）。購入希望登録画面には、調剤薬局Ｃが通知を受けた不動品の販売情報の一覧が表示される（ステップＳ３３）。
【００５１】
次に、従業員は、表示された一覧の中から、購入を希望する不動品の品名と購入したい数量の登録を行う（ステップＳ３４）。具体的には、例えば、購入を希望する不動品の販売情報の行の左端に表示されるチェックボックスにチェックを入れ、右の「購入数量」欄に希望する数量を入力する。購入を希望する数量は、不動品として登録されている数量の範囲内であれば任意の数量を指定することができる。
【００５２】
購入希望登録画面上で購入を希望する医薬品と数量を入力した後、購入ボタンを選択することにより、入力された購入希望情報が、通信ネットワークＮを介して在庫取引サーバ１０に送信される（ステップＳ３５）。
【００５３】
在庫取引サーバ１０は、購入希望登録受付部１１４において利用者端末２０からの購入希望情報を受信する。受信した情報は購入希望情報記憶部１３４に登録される（ステップＳ３６）。
【００５４】
なお、上記の指定期間内であればいつでも購入希望登録を行うことができ、また、一度登録した購入希望の内容変更（数量の変更）や、購入希望登録のキャンセルも行うことができる。
【００５５】
（一次販売先決定処理）
一次販売先決定処理は、販売情報の通知を受けた販売先候補の中から、登録された購入希望に基づいて一次販売先を決定する処理である。一次販売先決定処理は、購入希望登録の受付期間の経過後に、在庫取引サーバ１０の販売先決定部１１５において実行される。図８は、在庫取引システム１の一次販売先決定処理のフローチャートである。
【００５６】
在庫取引サーバ１０は、販売先決定部１１５において、販売先候補情報記憶部１３３から、不動品登録についての複数の販売先候補の情報を取得する（ステップＳ４１）。
【００５７】
次に、販売先決定部１１５は、購入希望情報記憶部１３４を参照し、購入希望情報を登録している販売先候補がいるかどうか判定する（ステップＳ４２）。購入希望情報を登録している販売先候補がいる場合には（ステップＳ４２：ＹＥＳ）、販売先決定部１１５は、対象となる医薬品について、今回登録されている全量の購入を希望している販売先候補がいるかどうかを判定する（ステップＳ４３）。
【００５８】
販売先決定部１１５は、全量の購入を希望している販売先候補がいる場合には（ステップＳ４３：ＹＥＳ）、希望者の中から最も優先順位が高い候補を一次販売先に決定する（ステップＳ４４）。
【００５９】
一方、全量の購入を希望している販売先候補がいない場合には（ステップＳ４３：ＮＯ）、一部の量の購入を希望している販売先候補の中で、最も優先順位の高い候補を第１の一次販売先に決定する（ステップＳ４５）。さらに、第１の一次販売先に一部の数量を割り当てた後、残りの数量の割り当て先として次に優先順位の高い候補を第２の一次販売先に決定する。さらに、第２の一次販売先に割り当てても残りが出る場合は、優先順位に従って第３以降の一次販売先を決定する（ステップＳ４６）。例えば、元の不動品登録数量（全量）が１００個である場合、第１の一次販売先に希望どおりの７０個を割り当てると、残りは３０個となる。この場合、次に優先順位の高い第２の一次販売先の希望数量が５０個であったとしても、３０個を割り当てる。このように割り当てる数量が希望数量に満たない場合には、購入側に承諾を得た上で販売先として決定する。一方、第２の一次販売先の希望数量が２０個である場合は、第２の一次販売先に希望どおりの２０個を割り当て、残りの１０個は３番目に優先順位の高い候補に割り当てる。
【００６０】
販売先決定部１１５は、決定した一次販売先を販売先情報記憶部１３５に登録する（ステップＳ４７）。さらに、販売先決定部１１５は、販売先が決定した不動品を登録した調剤薬局に対して売却決定通知を通知し、決定した販売先に対して購入決定通知を通知する（ステップＳ４８）。なお、購入希望情報を登録している販売先候補が無い場合（ステップＳ４２：ＮＯ）、または、一次販売先への割り当て後にまだ商品が残っている場合には（ステップＳ４９：ＹＥＳ）、後述する二次販売にて販売先を決定する（ステップＳ５０）。
【００６１】
（二次販売実行処理）
二次販売実行処理は、全量または一部の一次販売先が決定できなかった不動品の販売を行うための処理である。二次販売実行処理は、一次販売先決定処理の終了後、在庫取引サーバ１０の二次販売実行部１１６において実行される。図９は、在庫取引システム１の二次販売実行処理のフローチャートである。
【００６２】
在庫取引サーバ１０は、二次販売実行部１１６において、販売先情報記憶部１３５から一次販売先が決定した不動品の情報を取得する（ステップＳ５１）。
【００６３】
次に、二次販売実行部１１６は、不動品登録情報記憶部１３２を参照し、登録されている不動品のうち、一次販売先が決定していない不動品（医薬品）と数量を特定し、二次販売対象医薬品情報記憶部１３６に登録する（ステップＳ５２）。
【００６４】
次に、二次販売実行部１１６は、全ての調剤薬局に対して二次販売対象医薬品情報を提示する（ステップＳ５３）。各調剤薬局は、利用者端末２０を介して二次販売対象医薬品情報を閲覧する。この時、二次販売実行部１１６は、各調剤薬局の過去の購入実績情報に基づいて、表示する二次販売対象医薬品を選択したり、表示順序を決定するようにしてもよい。具体的には、調剤薬局毎に、過去の購入額が多い医薬品から順に利用者端末２０の表示装置に表示させることが望ましい。
【００６５】
各調剤薬局では、従業員が、提示された二次販売対象医薬品の中に購入を希望する医薬品がある場合には、利用者端末２０の入力装置を介して、購入希望数量を指定し、購入登録操作を行う（ステップＳ５４）。
【００６６】
購入登録操作によって入力された医薬品と購入希望数量の情報は、二次販売購入希望情報として在庫取引サーバ１０に送信される（ステップＳ５５）。二次販売購入希望情報には、購入を希望した調剤薬局名（または識別コード）、医薬品（品名または識別コード）、購入する数量の情報が含まれる。
【００６７】
二次販売実行部１１６は、二次販売購入希望情報を受信すると、取引を即時に成立させ、販売先情報記憶部１３５に決定した二次販売先を登録する（ステップＳ５６）。
【００６８】
（医薬品移動）
不動品の二次販売が終了すると、売り手側の調剤薬局から買い手側（販売先）の調剤薬局へ医薬品（不動品）が発送される。図１０は、在庫取引システム１の医薬品移動の流れを説明する図である。
【００６９】
まず、不動品の登録を行った調剤薬局（調剤薬局Ａ）は、利用者端末２０上で販売先情報記憶部１３５の情報を閲覧し、登録した不動品の販売先と販売数量を確認する（ステップＳ６１）。なお、販売先情報記憶部１３５の情報の閲覧については、自己の登録した不動品の販売先情報のみを閲覧できるように制御してもよい。
【００７０】
調剤薬局Ａの従業員は、不動品の販売先と販売数量を確認すると、利用者端末２０を介して今回発送する不動品の数量を登録する（ステップＳ６２）。発送する不動品の数量が登録されると、在庫取引サーバ１０の帳票作成部１１８において、発送先（販売先）の宛名ラベル、納品書、請求書等が作成され（ステップＳ６３）、利用者端末２０の表示装置に表示される（ステップＳ６４）。調剤薬局Ａの従業員は、利用者端末２０に接続されたプリンタからこれらの帳票を印刷し、発送の際に用いることができる。
【００７１】
調剤薬局Ａは、調剤薬局Ｃに医薬品を発送する（ステップＳ６５）。販売先（調剤薬局Ｃ）に荷物が届くと、調剤薬局Ｃの従業員は届いた医薬品を検品する（ステップＳ６６）。さらに、調剤薬局Ｃの従業員は、利用者端末２０を介して届いた数量を登録する（ステップＳ６７）。
【００７２】
在庫取引サーバ１０は、医薬品移動確認部１１９において、販売元から登録された発送する不動品の数量と、販売先から登録された届いた医薬品の数量が一致しているかどうか判断し（ステップＳ６８）、一致していない場合には（ステップＳ６８：ＮＯ）、調剤薬局に修正依頼等の必要な手続きの依頼を通知する（ステップＳ６９）。両者の数量が一致したら（ステップＳ６８：ＹＥＳ）、医薬品移動は完了する（ステップＳ７０）。
【００７３】
なお、医薬品を移動する際には、在庫取引システム１を介して専用の運送業者を手配できるようにしてもよい。具体的には、売り手側の調剤薬局が利用者端末２０を介して配送依頼を登録することにより、運送業者による集荷と配送が手配できるようにしてもよい。
【００７４】
（スケジュール作成処理）
不動品登録、販売先候補の決定と通知、購入希望登録、一次販売先の決定、二次販売、医薬品移動という一連の流れは、在庫取引サーバ１０のスケジュール作成部１２０において作成されるスケジュールにしたがって実行されるようにしてもよい。スケジュール作成部１２０はそれぞれの処理が実行可能な期間を設定する。利用者端末２０では、不動品登録が可能な期間にのみ、不動品の登録操作が行えるようにする。また、購入希望登録や二次販売、医薬品移動についても、各処理の実行可能な期間にのみそれぞれの操作が行えるように設定する。
【００７５】
（価格設定処理）
在庫取引システム１における全ての医薬品（不動品）の取引価格は、在庫取引サーバ１０の価格設定部１２１において決定されるようにしてもよい。具体的には、医薬品毎、医薬品メーカー毎、医薬品の種別毎などの単位であらかじめ価格率を設定して外部記憶装置１２に登録しておき、登録された不動品の原価に対して設定されている価格率を適用し、販売額を決定することができる。
【００７６】
（決済処理）
在庫取引システム１では、買い手側の調剤薬局から医薬品の購入代金を徴収する。在庫取引システム１の決済処理部１２２は、医薬品移動の完了後、買い手側から徴収した医薬品の購入代金を売り手側の調剤薬局に対して支払う処理を行う。具体的には、例えば、売り手側の指定口座への振り込みを行ってもよいし、預り金とし、次回買い手側になった際の購入代金に当てられるようにしてもよい。
【００７７】
このように、取引を行った際の購入代金の支払いも在庫取引システム１を介して行えるようにすることで、調剤薬局間での金銭のやり取りが発生せず、調剤薬局における不動品の処理の負担をさらに軽減することができる。
【００７８】
以上のように本実施形態によれば、売り手側の調剤薬局が登録した不動品（医薬品）に対し、過去の購入実績に基づいて販売先候補を選定し、所定期間内に、選定した薬局からの購入希望を受け付け、購入を希望する薬局の中から販売先を決定するようにした。これにより、不動品を購入してもらえる可能性の高い調剤薬局に対して購入の意向を打診することができ、購入側も一定期間内に購入するかどうかを判断すればよいので、オークション形式などとは異なり、双方にとって利便性が高く効率のよい取引システムを提供することができる。具体的には、オークション形式などの従来の取引システムでは成約率が２０％程度だったところ、本実施形態によるシステムでは、約８０％の成約率が得られている。
【００７９】
また、購入を希望する販売先候補の中に、不動品登録された数量（販売希望数量）の全ての購入を希望する調剤薬局がある場合には、その薬局を優先して販売先に決定するようにしたので、売り手側にとって効率のよい取引を実現することができる。
【００８０】
また、販売先候補には優先順位を付与し、販売希望数量の全ての購入を希望する薬局が無い場合には、一部の購入を希望している候補のうち、優先順位の高い薬局から順に販売先に決定するようにしたので、当該医薬品について高い購入実績のある薬局を優遇することができる。
【００８１】
また、購入を希望する販売先候補が無い場合や、一次販売先の決定後に残っている商品がある場合には、販売先候補以外の薬局も含む複数の薬局に対し、販売対象となっている不動品の情報を公開し、購入希望を受け付けたら即時に販売を決定するようにしたので、販売先候補の中から売り手が決まらなかった場合や、一部の数量が売れ残った場合に、さらに不動品の売却先を探すことができる。
【００８２】
また、二次販売においても、各々の薬局の購入実績に基づいて、販売対象となっている不動品の情報を公開するようにした。具体的には、例えば、薬局毎に不動品の情報の表示の順序を変えるようにしたので、買い手側にとっても利便性の高い取引システムを提供することができる。
【００８３】
また、販売先候補や優先順位を決定するにあたっては、各々の薬局の過去の購入実績の他、売り手側と同一法人に属しているか否かや、売り手側の薬局との距離などを考慮するようにしたので、購入してもらえる可能性の高い薬局を選択できるとともに、取引参加者の便宜を図り、輸送費も削減することができる。
【００８４】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００８５】
１…在庫取引システム
１０…在庫取引サーバ
１１…制御装置
１２…外部記憶装置
２０…利用者端末
３０…卸データ管理サーバ
１１１…不動品登録受付部
１１２…販売先候補決定部
１１３…販売情報通知部
１１４…購入希望登録受付部
１１５…販売先決定部
１１６…二次販売実行部
１１７…購入実績集計部
１１８…帳票作成部
１１９…医薬品移動確認部
１２０…スケジュール作成部
１２１…価格設定部
１２２…決済処理部
１３１…購入実績記憶部
１３２…不動品登録情報記憶部
１３３…販売先候補情報記憶部
１３４…購入希望情報記憶部
１３５…販売先情報記憶部
１３６…二次販売対象医薬品情報記憶部
【図１】
2017199081.tif 000003
【図２】
2017199081.tif 000004
【図３】
2017199081.tif 000005
【図４】
2017199081.tif 000006
【図５】
2017199081.tif 000007
【図６】
2017199081.tif 000008
【図７】
2017199081.tif 000009
【図８】
2017199081.tif 000010
【図９】
2017199081.tif 000011
【図１０】
2017199081.tif 000012
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
店舗間で商品の在庫を取引するための在庫取引システムであって、
各々の店舗の、購入実績に関する情報を保持する第１の記憶部と、
商品の販売を希望する店舗から、販売を希望する対象商品と販売希望数量の登録を受け付ける商品登録受付部と、
各々の店舗の前記購入実績に基づいて、前記対象商品の販売先候補となる１つ以上の店舗を選定する販売先候補決定部と、
前記販売先候補の店舗に対し、前記対象商品と販売希望数量の情報を提示する販売情報通知部と、
所定の期間に、前記販売先候補の店舗から、前記対象商品の購入希望の有無と購入を希望する数量の登録を受け付ける購入希望登録受付部と、
前記所定の期間の終了後、前記対象商品の購入希望を登録した店舗の中から、前記購入を希望する数量に基づいて販売先を決定する販売先決定部と、を備え、
前記販売先候補決定部は、
選定された１つ以上の販売先候補に対し、各々の購入実績に基づいて優先順位を付与し、
前記販売先決定部は、
前記対象商品の購入希望を登録した店舗の中から、前記購入を希望する数量が、前記販売希望数量と一致する店舗を販売先に決定し、
前記購入を希望する数量が前記販売希望数量と一致する店舗が無い場合には、前記販売希望数量の一部の購入希望を登録した店舗の中から最も優先順位の高い店舗を第１の販売先に決定し、残りの数量の販売先として、購入希望を登録した他の店舗の中から優先順位の高い順に１つ以上の店舗を選択する、在庫取引システム。
【請求項２】
前記対象商品の購入希望を登録した店舗が無い場合、または販売先の決定後に前記対象商品が残っている場合に、前記販売先候補以外の店舗を含む複数の店舗に対し、前記対象商品と販売希望数量の情報を提示し、いずれかの店舗から購入希望を受け付けたら即時に販売を決定する二次販売実行部を備えた、請求項１に記載の在庫取引システム。
【請求項３】
前記二次販売実行部は、
各々の店舗の前記購入実績に基づいて、店舗毎に前記対象商品の情報を提示する順序を変更する、請求項２に記載の在庫取引システム。
【請求項４】
コンピュータを、
商品の販売を希望する店舗から、販売を希望する対象商品と販売希望数量の登録を受け付ける商品登録受付部と、
各々の店舗の購入実績に基づいて、前記対象商品の販売先候補となる１つ以上の店舗を選定する販売先候補決定部と、
前記販売先候補の店舗に対し、前記対象商品と販売希望数量の情報を提示する販売情報通知部と、
所定の期間に、前記販売先候補の店舗から、前記対象商品の購入希望の有無と購入を希望する数量の登録を受け付ける購入希望登録受付部と、
前記所定の期間の終了後、前記対象商品の購入希望を登録した店舗の中から、前記購入を希望する数量に基づいて販売先を決定する販売先決定部と、して機能させ、
前記販売先候補決定部は、
選定された１つ以上の販売先候補に対し、各々の購入実績に基づいて優先順位を付与し、
前記販売先決定部は、
前記対象商品の購入希望を登録した店舗の中から、前記購入を希望する数量が、前記販売希望数量と一致する店舗を販売先に決定し、
前記購入を希望する数量が前記販売希望数量と一致する店舗が無い場合には、前記販売希望数量の一部の量の購入希望を登録した店舗の中から最も優先順位の高い店舗を第１の販売先に決定し、残りの数量の販売先として、購入希望を登録した他の店舗の中から優先順位の高い順に１つ以上の店舗を選択する、プログラム。